(57)【要約】【課題】中間階調領域における大きな画質の劣化を抑えることができる表示駆動装置、及び、それを備える表示装置を提供すること。【解決手段】ＤＡＣ２５から出力される階調電圧を増幅する出力アンプ２６の駆動能力を駆動能力設定回路２７において設定する。駆動能力設定回路２７は入力される表示データの上位２ビットが一致する場合に、対応する出力アンプ２６の駆動能力を低く設定し、表示データの上位２ビットが一致しない中間階調領域の場合に、対応する出力アンプ２６の駆動能力を高く設定する。【選択図】図３
2008249894.tif 000002
【特許請求の範囲】
【請求項１】
表示画素をデジタル信号の表示データに基づいて駆動する表示駆動装置において、
前記表示データが取り得る全ての階調レベルに対応する複数の階調電圧を生成する階調電圧生成手段と、
前記複数の階調電圧の中から前記表示データの階調値に対応する前記階調電圧を選択して出力する階調電圧選択手段と、
前記階調電圧選択手段から出力される前記階調電圧を増幅して出力する増幅手段と、
前記増幅手段の駆動能力を、前記表示データの階調値に応じて設定する駆動能力設定手段と、
を具備することを特徴とする表示駆動装置。
【請求項２】
前記駆動能力設定手段は、前記表示データの階調値が中間階調であるときの前記増幅手段の駆動能力を、前記表示データの階調値が高階調及び低階調であるときの駆動能力より高く設定することを特徴とする請求項１に記載の表示駆動装置。
【請求項３】
前記駆動能力設定手段は、前記表示データの上位複数ビットの値に基づいて前記増幅手段の駆動能力を設定することを特徴とする請求項２に記載の表示駆動装置。
【請求項４】
前記駆動能力設定手段は、前記表示データの前記上位複数ビットの値が一致していない場合に、前記増幅手段に供給するバイアス電流の電流値を、前記表示データの前記上位複数ビットの値が一致している場合に前記増幅手段に供給するバイアス電流の電流より大きい値に設定して、前記表示データの階調値が中間階調であるときの前記増幅手段の駆動能力を、前記表示データの階調値が高階調及び低階調であるときの前記増幅手段の駆動能力より高く設定することを特徴とする請求項３に記載の表示駆動装置。
【請求項５】
表示画素をデジタル信号の表示データに基づいて駆動する表示駆動装置において、
前記表示データが取り得る全ての階調レベルに対応する複数の電圧を生成し、該複数の電圧に基づく複数の階調電圧を生成する階調電圧生成手段と、
前記複数の階調電圧の中から前記表示データの階調値に対応する前記階調電圧を選択して出力する階調電圧選択手段と、
を備え、
前記階調電圧生成手段は、前記複数の電圧の各々を増幅して前記複数の階調電圧を生成する複数の増幅手段と、該複数の増幅手段の各々の駆動能力を、対応する前記階調レベルに応じて設定する駆動能力設定手段と、を有することを特徴とする表示駆動装置。
【請求項６】
前記駆動能力設定手段は、前記全ての階調レベルにおける中間階調レベルに対応する前記各増幅手段の駆動能力を、高階調レベル及び低階調レベルに対応する前記各増幅手段の駆動能力よりも高く設定することを特徴とする請求項５に記載の表示駆動装置。
【請求項７】
前記駆動能力設定手段は、前記中間階調レベルに対応する前記増幅手段に供給するバイアス電流の電流値を、前記高階調レベル及び低階調レベルに対応する前記増幅手段に供給するバイアス電流の電流より大きい値に設定して、前記中間階調レベルに対応する前記増幅手段の駆動能力を、前記高階調レベル及び低階調レベルに対応する前記増幅手段の駆動能力より高く設定することを特徴とする請求項６に記載の表示駆動装置。
【請求項８】
複数の走査ライン及び複数の信号ラインの各交点近傍にマトリクス状に配列された複数の表示画素を有する表示パネルをデジタル信号の表示データに基づいて駆動して画像表示を行う表示装置において、
前記複数の走査ラインに走査信号を順次出力して前記表示画素を順次選択状態に設定する走査側駆動手段と、
前記表示データが取り得る全ての階調レベルに対応する複数の階調電圧を生成する階調電圧生成手段と、前記複数の階調電圧の中から前記表示データの階調値に対応する前記階調電圧を選択して出力する階調電圧選択手段と、前記階調電圧選択手段から出力される前記階調電圧を増幅して前記複数の信号ラインに出力する複数の増幅手段と、前記各増幅手段の駆動能力を、前記表示データの階調値に応じて設定する駆動能力設定手段と、を有する信号側駆動手段と、
を具備することを特徴とする表示装置。
【請求項９】
前記駆動能力設定手段は、前記表示データの階調値が中間階調であるときの前記各増幅手段の駆動能力を、前記表示データの階調値が高階調及び低階調であるときの駆動能力より高く設定することを特徴とする請求項８に記載の表示装置。
【請求項１０】
複数の走査ライン及び複数の信号ラインの各交点近傍にマトリクス状に配列された複数の表示画素を有する表示パネルをデジタル信号の表示データに基づいて駆動して画像表示を行う表示装置において、
前記複数の走査ラインに走査信号を順次出力して前記表示画素を順次選択状態に設定する走査側駆動手段と、
前記表示データが取り得る全ての階調レベルに対応する複数の電圧を生成し、該複数の電圧に基づく複数の階調電圧を生成する階調電圧生成手段と、前記複数の階調電圧の中から前記表示データの階調値に対応する前記階調電圧を選択して出力する階調電圧選択手段と、を備え、前記階調電圧生成手段は、前記複数の電圧の各々を増幅して前記複数の階調電圧を生成する複数の増幅手段と、該複数の増幅手段の各々の駆動能力を、対応する前記階調レベルに応じて設定する駆動能力設定手段と、を有する信号側駆動手段と、
を具備することを特徴とする表示装置。
【請求項１１】
前記駆動能力設定手段は、前記全ての階調レベルにおける中間階調レベルに対応する前記各増幅手段の駆動能力を、高階調レベル及び低階調レベルに対応する前記各増幅手段の駆動能力よりも高く設定することを特徴とする請求項１０に記載の表示装置。
【発明の詳細な説明】
【技術分野】
【０００１】
本発明は、表示データに基づいた階調電圧を出力して表示画素を駆動する表示駆動装置、及び、それを備えて表示パネルを駆動して画像表示を行う表示装置に関する。
【背景技術】
【０００２】
液晶表示装置に用いられるドットマトリクス方式の表示パネルとして、単純マトリクス方式の表示パネルとアクティブマトリクス方式の表示パネルとが知られている。このうち、アクティブマトリクス方式の表示パネルにおいては、表示パネル上に複数の走査ラインと複数の信号ラインとをそれぞれ直交するように配置し、これら走査ラインと信号ラインとの交点近傍に薄膜トランジスタ（Thin Film Transistor：以下、ＴＦＴと記す）を介して画素電極を配置し、これら画素電極にそれぞれ対向して配置される共通電極との間に液晶を充填することで表示画素を構成している。そして、この表示パネルを駆動する表示駆動装置においては、画素電極と共通電極との間に電圧を印加することにより、その間に充填された液晶層に印加する電界の大きさを変化させて液晶の配向状態を変化させるように駆動している。
【０００３】
また、液晶表示装置において、表示データに応じた階調表示を行うための方式としては、電圧階調方式がある。電圧階調方式は、表示データの階調に対応する階調電圧を信号ラインに印加することにより階調表示を行う方式であり、このような電圧階調方式を適用した例として、例えば特許文献１等では、所定の基準電圧を複数の抵抗で分圧することによって表示データの階調数に応じた複数の階調電圧を生成し、生成した複数の階調電圧をＤＡＣに供給し、デジタル信号で供給される表示データの階調に応じた階調電圧をＤＡＣにおいて選択して表示パネルに供給している。また、特許文献１においては、階調電圧を生成する際に、いち早く目的とする階調電圧を生成できるようにするためと、階調電圧を安定して表示パネルに供給できるようにするために、階調電圧の発生回路とＤＡＣとの間に、インピーダンス変換用の増幅回路（階調アンプ）を設けている。
【特許文献１】特開２００６−３９２０５号公報
【発明の開示】
【発明が解決しようとする課題】
【０００４】
ところで、従来は、各階調アンプの駆動能力はその出力する階調電圧のレベルによらずに一定とされていた。しかしながら、中間階調領域では、表示データの示す階調値の変化に対する階調電圧の変化が、高階調領域や低階調領域に比べて大きくなる。ここで、階調アンプ部分での消費電力を抑えるために、各階調アンプの駆動能力を比較的小さく設定していた場合、信号ラインへ印加する階調電圧が表示パネルの表示画素による負荷によって減少してしまう場合がある。このような階調アンプの駆動能力不足による画質の劣化は、特に中間階調領域において生じ易い。
【０００５】
本発明は、上記の事情に鑑みてなされたもので、中間階調領域における大きな画質の劣化を抑えることができる表示駆動装置、及び、それを備える表示装置を提供することを目的とする。
【課題を解決するための手段】
【０００６】
上記の目的を達成するために、本発明の第１の態様による表示駆動装置は、表示画素をデジタル信号の表示データに基づいて駆動する表示駆動装置において、前記表示データが取り得る全ての階調レベルに対応する複数の階調電圧を生成する階調電圧生成手段と、前記複数の階調電圧の中から前記表示データの階調値に対応する前記階調電圧を選択して出力する階調電圧選択手段と、前記階調電圧選択手段から出力される前記階調電圧を増幅して出力する増幅手段と、前記増幅手段の駆動能力を、前記表示データの階調値に応じて設定する駆動能力設定手段とを具備することを特徴とする。
【０００７】
また、上記の目的を達成するために、本発明の第２の態様による表示駆動装置は、表示画素をデジタル信号の表示データに基づいて駆動する表示駆動装置において、前記表示データが取り得る全ての階調レベルに対応する複数の電圧を生成し、該複数の電圧に基づく複数の階調電圧を生成する階調電圧生成手段と、前記複数の階調電圧の中から前記表示データの階調値に対応する前記階調電圧を選択して出力する階調電圧選択手段とを備え、前記階調電圧生成手段は、前記複数の電圧の各々を増幅して前記複数の階調電圧を生成する複数の増幅手段と、該複数の増幅手段の各々の駆動能力を、対応する前記階調レベルに応じて設定する駆動能力設定手段とを有することを特徴とする。
【０００８】
また、上記の目的を達成するために、本発明の第３の態様による表示装置は、複数の走査ライン及び複数の信号ラインの各交点近傍にマトリクス状に配列された複数の表示画素を有する表示パネルをデジタル信号の表示データに基づいて駆動して画像表示を行う表示装置において、前記複数の走査ラインに走査信号を順次出力して前記表示画素を順次選択状態に設定する走査側駆動手段と、前記表示データが取り得る全ての階調レベルに対応する複数の階調電圧を生成する階調電圧生成手段と、前記複数の階調電圧の中から前記表示データの階調値に対応する前記階調電圧を選択して出力する階調電圧選択手段と、前記階調電圧選択手段から出力される前記階調電圧を増幅して前記複数の信号ラインに出力する複数の増幅手段と、前記各増幅手段の駆動能力を、前記表示データの階調値に応じて設定する駆動能力設定手段と、を有する信号側駆動手段とを具備することを特徴とする。
【０００９】
また、上記の目的を達成するために、本発明の第４の態様による表示装置は、複数の走査ライン及び複数の信号ラインの各交点近傍にマトリクス状に配列された複数の表示画素を有する表示パネルをデジタル信号の表示データに基づいて駆動して画像表示を行う表示装置において、前記複数の走査ラインに走査信号を順次出力して前記表示画素を順次選択状態に設定する走査側駆動手段と、前記表示データが取り得る全ての階調レベルに対応する複数の電圧を生成し、該複数の電圧に基づく複数の階調電圧を生成する階調電圧生成手段と、前記複数の階調電圧の中から前記表示データの階調値に対応する前記階調電圧を選択して出力する階調電圧選択手段とを備え、前記階調電圧生成手段は、前記複数の電圧の各々を増幅して前記複数の階調電圧を生成する複数の増幅手段と、該複数の増幅手段の各々の駆動能力を、対応する前記階調レベルに応じて設定する駆動能力設定手段とを有する信号側駆動手段とを具備することを特徴とする。
【発明の効果】
【００１０】
本発明によれば、中間階調領域における大きな画質の劣化を抑えることができる表示駆動装置、及び、それを備える表示装置を提供することができる。
【発明を実施するための最良の形態】
【００１１】
以下、図面を参照して本発明の実施形態を説明する。  
［第１の実施形態］
図１は、本発明の第１の実施形態に係る表示駆動装置を適用した表示装置の構成を示す図である。図１に示す表示装置１は、表示パネル１０と、ソースドライバ（信号側駆動手段）２０と、ゲートドライバ（走査側駆動手段）３０と、ＲＧＢデコーダ４０と、共通電圧発生回路５０と、コントローラ６０とを有している。
【００１２】
表示パネル１０は、行方向に配設された複数の走査ラインと、列方向に配設された複数の信号ラインとを備え、走査ラインと信号ラインとの各交点近傍に図２に示す表示画素が設けられて構成されている。
【００１３】
図２は、表示パネル１０に設けられる１つの表示画素の等価回路を示す図である。図２に示す走査ラインＧには薄膜トランジスタ（ＴＦＴ）１１のゲート電極が接続され、信号ラインＳにはＴＦＴ１１のソース電極が接続されている。更に、ＴＦＴ１１のドレイン電極には液晶容量の画素電極１２と蓄積容量１４の一方の電極とが接続されている。そして、液晶容量の共通電極１３と蓄積容量１４の他方の電極とは共通信号ラインＣに接続されている。更に、画素電極１２と共通電極１３との間には液晶が充填され、液晶層を構成している。このような構成の表示画素において、画素電極１２と共通電極１３との間に電圧が印加されると、この電圧の値に応じて画素電極１２と共通電極１３との間に充填された液晶の配向状態が変化して液晶層中における光の透過率が変化する。これにより、図２に示す表示画素の背面に配置された図示しない光源からの光の透過状態が変化して画像表示が行われる。
【００１４】
ソースドライバ２０には、図２の信号ラインＳが接続され、コントローラ６０から出力される水平制御信号（クロック信号、ラッチ動作制御信号等）と極性反転制御信号とに基づいて、ＲＧＢデコーダ４０から供給されるＲ（赤）、Ｇ（緑）、Ｂ（青）の各色の表示データを１行単位で取り込み、この取り込んだ表示データに対応する階調電圧を選択して信号ラインＳに供給する。このソースドライバ２０の動作については後で詳しく説明する。
【００１５】
ゲートドライバ３０には、図２の走査ラインＧが接続され、コントローラ６０からの垂直制御信号を受け、１行分のＴＦＴ１１をオンするための走査信号を各走査ラインＧに順次印加して、ＴＦＴ１１をオン状態とし、信号ラインＳと交差する位置の表示画素における画素電極１２に、ソースドライバ２０から信号ラインＳを介して供給された階調電圧を印加する。
【００１６】
ＲＧＢデコーダ４０は、例えば表示装置１の外部から供給される映像信号（例えばコンポジットビデオ信号）から水平同期信号、垂直同期信号、及び輝度・色差信号を抽出してコントローラ６０に供給すると共に、輝度・色差信号からＲ、Ｇ、Ｂの各色の表示データを生成してソースドライバ２０に出力する。
【００１７】
共通電圧発生回路５０には、図２の共通信号ラインＣが接続されている。この共通電圧発生回路５０は、コントローラ６０から出力される極性反転制御信号に基づいて、所定期間毎に極性が反転する共通電圧Ｖｃｏｍを生成して、共通信号ラインＣに印加する。
【００１８】
コントローラ６０は、ＲＧＢデコーダ４０からの垂直同期信号を受けて極性反転制御信号及び垂直制御信号を生成し、極性反転制御信号をソースドライバ２０及び共通電圧発生回路５０に、垂直制御信号をゲートドライバ３０に出力する。ここで、極性反転制御信号は、液晶層に印加される階調電圧の極性を所定期間毎（例えば１フレーム毎）に反転させるための制御信号である。また、コントローラ６０は、ＲＧＢデコーダ４０からの水平同期信号を受けて水平制御信号を生成してソースドライバ２０に出力する。
【００１９】
次に、図１のような構成を有する表示装置１の動作について説明する。  
ＲＧＢデコーダ４０から垂直同期信号が供給されるとコントローラ６０において極性反転制御信号及び垂直制御信号が生成される。そして、極性反転制御信号はソースドライバ２０及び共通電圧発生回路５０に、垂直制御信号はゲートドライバ３０に出力される。
【００２０】
ソースドライバ２０に極性反転制御信号が入力されると、階調電圧の極性が反転される。更に、ゲートドライバ３０は、垂直制御信号が入力されて、１行分のＴＦＴ１１をオンするための走査信号を各走査ラインＧに順次印加する。
【００２１】
また、ＲＧＢデコーダ４０から水平同期信号が供給されるとコントローラ６０において水平制御信号が生成されてソースドライバ２０に出力される。また、これに伴って、ＲＧＢデコーダ４０から表示データが出力される。ソースドライバ２０は、水平制御信号を受けてＲＧＢデコーダ４０からの表示データを取り込み、この取り込んだ表示データに対応する階調電圧を選択して対応する信号ラインＳに印加する。
【００２２】
走査ラインＧに走査信号が印加され、信号ラインＳに階調電圧が印加されると、これらの交点付近に設けられたＴＦＴ１１がオンし、オンしたＴＦＴ１１のソース電極からドレイン電極を経て表示画素の液晶容量と蓄積容量１４とに信号ラインＳからの階調電圧が印加される。そして、この印加された階調電圧と共通電圧との差に応じた電圧が液晶容量と蓄積容量とに保持される。これにより液晶容量の画素電極１２と共通電極１３との間に電界が発生し、この電界の強さによって画素電極１２と共通電極１３との間に充填された液晶の配向状態が変化して液晶層中における光の透過率が変化する。これにより、図２に示す表示画素の背面に配置された図示しない光源からの光の透過状態が変化して画像表示が行われる。なお、蓄積容量は、液晶容量に印加されている電圧を次の階調電圧の印加時まで保持しておくために設けられている。また、蓄積容量により反転駆動の際の電圧変化の影響も抑制することができる。
【００２３】
次に、ソースドライバ２０について更に説明する。図３は、本実施形態におけるソースドライバ２０の要部の詳細な構成図である。図３に示すソースドライバ２０は、シフトレジスタ２１と、データレジスタ２２と、データラッチ回路２３と、階調電圧生成回路２４と、ＤＡＣ２５と、出力アンプ２６と、駆動能力設定回路２７とを有している。
【００２４】
シフトレジスタ２１は、コントローラ６０からのクロック信号を受ける毎にデータレジスタ２２によるデータ取り込みを行わせるための制御信号を出力する。データレジスタ２２は、ＲＧＢデコーダ４０から１表示画素分の表示データ（図３ではＤ０〜Ｄ７の８ビットの表示データを示しているがこれに限るものではない）が入力され、シフトレジスタ２１からの制御信号に同期してＲＧＢデコーダ４０から入力される表示データを順次取り込む。
【００２５】
データラッチ回路２３は、コントローラ６０からのラッチ動作制御信号を受ける毎にデータレジスタ２２に保持された表示データを一斉に取り込み、取り込んだ表示データを、各表示画素に対応するＤＡＣ２５に出力する。
【００２６】
ここで、第１の実施形態においては、１表示画素に対応する表示データのビット（図３の例ではＤ０〜Ｄ７の８ビット）うちの上位複数ビット（図３の例ではＤ７とＤ６の２ビット）をＤＡＣ２５だけでなく、駆動能力設定回路２７にも入力している。
【００２７】
階調電圧生成回路２４は、表示データが取り得る全ての階調レベル（図３の例では０〜２５５階調の２５６階調レベル）に応じた複数の電圧を生成し、生成した電圧を増幅して階調電圧を生成してＤＡＣ２５に出力する。  
図４は、階調電圧生成回路２４の詳細な構成を示す図である。階調電圧生成回路２４は、図４に示すように、階調電圧生成用抵抗群２４１と、極性切替スイッチ２４２と、階調アンプ２４３と、駆動能力設定回路２４４とを有している。
【００２８】
階調電圧生成用抵抗群２４１は、表示パネル１０の各表示画素の表示階調数に応じた数の抵抗素子から構成され、図示しない電源回路から供給される高レベル側電源電圧ＶＨと低レベル側電源電圧ＶＬとから、抵抗分割によって表示データのとりうる全ての階調レベルに対応する複数の階調電圧（図４の例ではＫ０〜Ｋ２５５）を生成する。極性切替スイッチ２４２は、コントローラ６０からの極性反転制御信号を受けて、階調電圧生成用抵抗群２４１によって生成される電圧の極性を切り替えるスイッチ群である。階調アンプ２４３は、階調電圧生成用抵抗群２４１によって生成される複数の電圧の各々を増幅して階調電圧Ｋ０〜Ｋ２５５を生成する。なお、階調アンプ２４３は例えばボルテージフォロワ構成の演算増幅器から構成される。駆動能力設定回路２４４は、所定の基準電流から、各階調アンプ２４３の駆動能力を設定するためのバイアス電流制御用の電圧を生成して各階調アンプ２４３に供給する。ここで、各階調アンプ２４３には駆動能力設定回路２４４から一定の電圧が供給されて、それぞれの階調アンプ２４３の駆動能力は同じ値に設定される。
【００２９】
また、ＤＡＣ２５は、データラッチ回路２３から入力される表示画素毎の表示データの階調値に対応する階調電圧を選択して信号ラインＳに出力する。出力アンプ２６は信号ラインＳ毎に設けられ、ＤＡＣ２５において選択された階調電圧により、それぞれ対応する信号ラインＳを駆動する。出力アンプ２６は例えばボルテージフォロワ構成の演算増幅器から構成され、駆動能力設定回路２７から供給される電圧によって各々の駆動能力が切り替えられる。ここで、出力アンプ２６は、駆動能力設定回路２７からＨレベルの信号が供給された場合に出力アンプ２６を構成する演算増幅器のバイアス電流が大きい値に設定されて、その駆動能力が高く設定される。一方、駆動能力設定回路２７からＬレベルの信号が供給された場合に出力アンプ２６を構成する演算増幅器のバイアス電流が小さい値に設定されて、その駆動能力が低く設定される。この駆動能力設定回路２７から供給される信号レベルによる出力アンプ２６の駆動能力の切り替えは、例えば後述する第２の実施形態の図５に示す、駆動能力設定制御信号ＡＭＰｎＨ/Ｌによる階調アンプＡＭＰの駆動能力の切り替えと同様の構成を用いることができる。
【００３０】
駆動能力設定回路２７は各出力アンプ２６に対応して設けられ、データラッチ回路２３から入力される表示データの上位複数ビットの値から出力アンプ２６の駆動能力を設定するための電圧を生成し、生成した電圧を出力アンプ２６に供給する。ここで、図３には駆動能力設定回路２７の回路構成の一例を示している。図３に示すように、駆動能力設定回路２７は、例えば、２つのＡＮＤ回路２７１、２７２と、２つの反転回路２７３、２７４と、１つのＮＯＲ回路２７５とから構成される一致回路である。
【００３１】
このような回路構成を有する駆動能力設定回路２７は表示データの上位２ビットＤ７、Ｄ６の値が、共にＨレベル又は共にＬレベルで一致する場合にＬレベル信号を対応する出力アンプ２６に出力し、表示データの上位２ビットＤ７、Ｄ６の値が、一方がＨレベルで他方がＬレベルである場合に、駆動能力設定回路２７はＨレベル信号を対応する出力アンプ２６に出力する。
【００３２】
このような構成により、表示データの階調値が、上位２ビットＤ７、Ｄ６の値が一致する階調値、すなわちＫ０〜Ｋ６３の階調電圧に対応する０〜６３階調の低階調の領域と、Ｋ１９２〜２５５の階調電圧に対応する１９２〜２５５階調の高階調の領域であるときには、出力アンプ２６の駆動能力が低く設定される。一方、表示データの階調値が、上位２ビットＤ７、Ｄ６の値が一致しない階調値、すなわちＫ６４〜Ｋ１９１の階調電圧に対応する中間階調の領域では、出力アンプ２６の駆動能力が高く設定される。
【００３３】
以上説明したように、本実施形態によれば、中間階調における出力アンプ２６の駆動能力を高階調側及び低階調側における出力アンプ２６の駆動能力よりも高くすることにより、低階調側及び高階調側に比べて大きな中間階調領域における画質の劣化を抑えることができる。
【００３４】
また、図３の例では、表示データの上位２ビットの値を用いて出力アンプ２６の駆動能力の切り替えを行っていたが、必ずしも２ビットである必要はなく、ＡＮＤ回路の入力端子数や反転回路の数を増やして、３ビット以上の値を用いて駆動能力の切り替えを行うようにしてもよい。
【００３５】
［第２の実施形態］
次に、本発明の第２の実施形態について説明する。第２の実施形態は、ソースドライバ２０に入力される表示データの値ではなく、階調レベル毎に予め駆動能力を設定するものである。
【００３６】
図５（ａ）は第２の実施形態における階調電圧生成回路２４の構成を示す図である。なお、図５（ａ）において図４と同様の部分の構成については説明を省略する。図５（ａ）に示すように、第２の実施形態においては、駆動能力設定回路２４５において設定できる電圧が階調アンプ２４３の駆動能力を高くするための電圧レベルＨと階調アンプ２４３の駆動能力を低くするための電圧Ｌレベルの２種類設けられている点と、駆動能力設定回路２４５において設定される２種類の電圧を選択的に各階調アンプ２４３に供給するための駆動能力切替スイッチ２４６が設けられている点が第１の実施形態と異なる。また、図示はしていないが、駆動能力設定回路２７も設けられていない点も第１の実施形態と異なる。
【００３７】
図５（ａ）に示すように、１つの階調アンプＡＭＰｎ（ｎ＝１、２、…、６４、…）に対応する駆動能力切替スイッチ２４６は、スイッチＡＭＰｎＨとスイッチＡＭＰｎＨＢの組で構成され、これらスイッチは共通に階調アンプＡＭＰｎのバイアス電圧供給端子に接続されている。そして、スイッチＡＭＰｎＨとスイッチＡＭＰｎＨＢとにはそれぞれ、例えばコントローラ６０から供給される駆動能力設定制御信号ＡＭＰｎＨ/Ｌから生成される制御信号ＡＭＰｎＨ及びＡＭＰｎＨＢが供給される。そして、スイッチＡＭＰｎＨは制御信号ＡＭＰｎＨがＨレベルの場合にオン、Ｌレベルの場合にオフする。一方、スイッチＡＭＰｎＨＢは制御信号ＡＭＰｎＨＢがＨレベルの場合にオン、Ｌレベルの場合にオフする。
【００３８】
図５（ｂ）は駆動能力設定制御信号ＡＭＰｎＨ/Ｌから制御信号ＡＭＰｎＨ及びＡＭＰｎＨＢを生成するための構成図である。図５（ｂ）に示す構成において、ＡＭＰｎＨ/ＬとしてＨレベル信号が入力された場合、ＡＭＰｎＨはＨレベル、ＡＭＰｎＨＢはＬレベルとなる。これにより、スイッチＡＭＰｎＨがオン、ＡＭＰｎＨＢがオフとなる。また、ＡＭＰｎＨ/ＬとしてＬレベル信号が入力された場合、ＡＭＰｎＨはＬレベル、ＡＭＰｎＨＢはＨレベルとなる。これにより、スイッチＡＭＰｎＨがオフ、ＡＭＰｎＨＢがオンとなる。
【００３９】
以上のような構成において、本実施形態においては、中間階調付近の駆動能力を高階調及び低階調における駆動能力よりも高くなるようにする。例えば、２５６階調の場合、低階調側となる階調アンプＡＭＰ１付近及び階調アンプＡＭＰ２５５付近に対応する駆動能力切替スイッチ２４６には駆動能力設定制御信号ＡＭＰｎＨ/ＬとしてＬレベルの信号を供給し、中間階調付近に対応する駆動能力切替スイッチ２４６には駆動能力設定制御信号ＡＭＰｎＨ/ＬとしてＨレベルの信号を供給する。
【００４０】
ここで、コントローラ６０から供給される各駆動能力設定制御信号ＡＭＰｎＨ/Ｌの信号レベルの設定は、例えばソースドライバ２０内に駆動能力設定制御信号の設定用のレジスタが設けられ、外部のＣＰＵから駆動時に供給される制御信号によって当該レジスタが設定されることによってなされるものであってもよいし、ソースドライバ２０に駆動能力設定制御信号の設定用の信号入力端子が設けられて、当該信号入力端子に所望の信号レベルを印加することで、固定的に設定するものであってもよいし、更に、ソースドライバ２０の製造時の配線パターンのマスクの設定によって、固定的に設定するものであってもよい。
【００４１】
以上説明したような第２の実施形態の構成でも、低階調側及び高階調側に比べて大きな中間階調領域における画質の劣化を抑えることができる。なお、第２の実施形態においては、階調アンプ２４３の駆動能力を階調レベルに応じて変えているが、図５（ａ）の構成を出力アンプ２６に適用して出力アンプ２６の駆動能力を階調レベルに応じて変えるようにしても良い。
【００４２】
また、図５（ａ）の例は、階調アンプ２４３の駆動能力を２段階に変える例について説明しているが、駆動能力設定回路２４５において生成できる電圧レベルを３段階以上にし、駆動能力切替スイッチ２４６のスイッチ数を増やすことにより、階調アンプ２４３の駆動能力を３段階以上に可変とすることもできる。
【００４３】
以上実施形態に基づいて本発明を説明したが、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題が解決でき、上述したような効果が得られる場合には、この構成要件が削除された構成も発明として抽出され得る。
【図面の簡単な説明】
【００４４】
【図１】本発明の第１の実施形態に係る表示駆動装置を適用した表示装置の構成を示す図である。
【図２】表示パネルに設けられる１つの表示画素の等価回路を示す図である。
【図３】第１の実施形態におけるソースドライバの要部の詳細な構成図である。
【図４】第１の実施形態における階調電圧生成回路の回路構成の一例を示す図である。
【図５】図５（ａ）は第２の実施形態における階調電圧生成回路の回路構成の一例を示す図であり、図５（ｂ）は駆動能力設定制御信号ＡＭＰｎＨ/Ｌから制御信号ＡＭＰｎＨ及びＡＭＰｎＨＢを生成するための構成図である。
【符号の説明】
【００４５】
１０…表示パネル、２０…ソースドライバ、２１…シフトレジスタ、２２データレジスタ、２３…データラッチ回路、２４…階調電圧生成回路、２５…ＤＡＣ、２６…階調アンプ、２７…駆動能力設定回路、３０…ゲートドライバ、４０…ＲＧＢデコーダ、５０…共通電圧発生回路、６０…コントローラ
【図１】
2008249894.tif 000003
【図２】
2008249894.tif 000004
【図３】
2008249894.tif 000005
【図４】
2008249894.tif 000006
【図５】
2008249894.tif 000007